(57)【特許請求の範囲】
【請求項１】
視覚障害者誘導用ブロックを敷設した第１の領域と、
該第１の領域に隣接する、該第１の領域との輝度比が２．０以上の第２の領域と、
この第２の領域の外側に配置された、前記第１の領域との輝度比の平均が１．５以下の第３の領域と
を有する視覚障害者誘導用ブロックを敷設した歩行路。
【請求項２】
請求項１において、前記第２の領域の幅が５〜１００ｃｍである視覚障害者誘導用ブロックを敷設した歩行路。
【発明の詳細な説明】
【０００１】
【発明の属する技術分野】
本発明は視覚障害者誘導用ブロックを敷設した歩行路に係り、特に、視覚障害者誘導用ブロックを敷設した領域とこれに隣接する領域との輝度比を大きくすることにより視覚障害者誘導用ブロックの敷設領域の視認性を高め、視覚障害者のうちの弱視者にとって歩行の安全性を高めた歩行路に関する。
【０００２】
【従来の技術】
表面に複数の突起や突条を有し、視覚障害者が誘導目的地の方向と安全な区域の存在する方向とを靴底又は白杖又は視覚等を介して容易に認識できるようにした視覚障害者誘導用ブロックは、交通機関の駅プラットホームや交叉点などで広く普及しているが、最近では、更に一般歩道、公園、その他の公共施設の歩行路や階段、スロープ、更には、建物内の床面や階段にも敷設されるようになってきている。この視覚障害者誘導用ブロックの色は、多くの自治体において、「福祉の街づくり条例」等で、原則として黄色系の色調に定められていることが多い。
【０００３】
ところで、視覚障害者には、完全に視覚を失っている人と、わずかではあるが視覚を有する、いわゆる弱視者とが含まれ、このうち、弱視者は視覚障害者のうちの約３分の２を占めている。弱視者の見え方には個人差はあるものの、明暗を判別する感覚は殆どの人に残されている。従って、視覚障害者誘導用ブロックを敷設した領域とその周辺の領域との明暗のコントラストを大きくすれば、弱視者にとって、視覚障害者誘導用ブロックの視認性は飛躍的に向上する。特に、後天的な弱視者であって、白杖の感覚が十分でない視覚障害者にとって視認性を高める効果は大きい。
【０００４】
【発明が解決しようとする課題】
上述の如く、視覚障害者誘導用ブロックは通常黄色系の色調を有することが多いが、近年採用されている一般の歩行路用ブロック（以下「一般ブロック」と称す場合がある。）は、周囲環境との調和を図るために、白灰色ないし灰色といった明色が多いため、図３（ａ）に示す如く、視覚障害者誘導用ブロック１と一般ブロック２との明暗のコントラストが小さいものとなっている。
【０００５】
また、図３（ｂ）に示す如く、色の異なる一般ブロック２Ａ，２Ｂを組み合せて模様敷きにした場合には、視覚障害者誘導用ブロック１の視認性は著しく低下する。
【０００６】
本発明は上記従来の問題点を解決し、周囲環境との調和、全体の景観を損なうことなく、視覚障害者誘導用ブロックを敷設した領域とこれに隣接する領域との明暗のコントラストを大きくすることにより、視覚障害者誘導用ブロック敷設領域の視認性を高め、視覚障害者の歩行安全性を向上させた歩行路を提供することを目的とする。
【０００７】
【課題を解決するための手段】
本発明の視覚障害者誘導用ブロックを敷設した歩行路は、視覚障害者誘導用ブロックを敷設した第１の領域と、該第１の領域に隣接する、該第１の領域との輝度比が２．０以上の第２の領域と、この第２の領域の外側に配置された、前記第１の領域との輝度比の平均が１．５以下の第３の領域とを有することを特徴とする。
【０００８】
本発明において明暗のコントラストの指標とする輝度とは、面又は点から発散する光の量であり、組み合せた２種類の面又は点から発散する輝度の比（輝度比）が大きいほど明暗のコントラストが大きくなる。輝度自体は、照明などの周辺条件によって値が変化するが、輝度比は周辺の光環境に関係なくほぼ一定であるため、明暗のコントラストの指標として最適である。
【０００９】
本発明では、視覚障害者誘導用ブロックを敷設した第１の領域とこれに隣接する第２の領域との輝度比が２．０以上と輝度比が大きいため、両領域の明暗のコントラストが大きくなり、視覚障害者誘導用ブロックを敷設した領域の視認性が高い。なお、第２の領域の外側の第３の領域は、視覚障害者誘導用ブロックを敷設した第１の領域との輝度比の平均が１．５以下の明色系のものであるため、周囲環境との調和が良く、全体の景観を損うことはない。この第３の領域について「輝度比の平均」とするのは、第３の領域を図３（ｂ）に示す一般ブロック２Ａ，２Ｂ等により模様敷きした場合において、輝度比の平均をとるためである。
【００１０】
本発明において、第２の領域の幅は５〜１００ｃｍとするのが好ましい。
【００１１】
【発明の実施の形態】
以下に図面を参照して本発明の実施の形態を詳細に説明する。
【００１２】
図１，２は本発明の視覚障害者誘導用ブロックを敷設した歩行路の実施の形態を示す平面図である。
【００１３】
図１（ａ）、図２（ａ）は、図３（ａ）の明色系一般ブロックが敷設された歩行路に本発明を適用した例であり、図１（ｂ）、図２（ｂ）は図３（ｂ）の模様敷きの歩行路に本発明を適用した例である。
【００１４】
なお、図１（ａ）、図２（ａ）における視覚障害者誘導用ブロック１と一般ブロック２との輝度比、或いは、図１（ｂ）、図２（ｂ）における視覚障害者誘導用ブロック１と一般ブロック２Ａ，２Ｂとの輝度比の平均は１．５以下である。なお、以下において、一般ブロック２や一般ブロック２Ａ，２Ｂを敷設した第３の領域を「一般領域」と称し、視覚障害者誘導用ブロック１を敷設した第１の領域を「誘導領域」と称す。
【００１５】
図１（ａ）、（ｂ）では、視覚障害者誘導用ブロック１を敷設した誘導領域３に隣接する第２の領域（以下この領域を「縁取り領域」と称す。）４に暗色系のブロック５を敷設することにより、誘導領域３と縁取り領域４との輝度比を２．０以上とした。このように誘導領域３と縁取り領域４との輝度比を２．０以上とすることにより、明色系の視覚障害者誘導用ブロックが明色系又は模様敷きの一般領域６から際立ち、その視認性が高められる。
【００１６】
図２（ａ）、（ｂ）では、縁取り領域４を黒色のアスファルト敷設面７とすることにより、誘導領域３と縁取り領域４との輝度比を２．０以上としたものである。この歩行路であっても、誘導領域３と縁取り領域４との輝度比を２．０以上とすることにより、明色系の視覚障害者誘導用ブロックが明色系又は模様敷きの一般領域６から際立ち、その視認性が高められる。
【００１７】
なお、この縁取り領域４の幅（図１（ａ）のＷ）が過度に細いと誘導領域３を十分に際立たせることができないことから、縁取り領域４の幅Ｗは５ｃｍ以上であることが好ましい。しかし、この縁取り領域４の幅Ｗが過度に大きいと、全体の景観を損ねる恐れもあることから、縁取り領域４の幅Ｗは、視覚障害者誘導用ブロックを適用した歩行路の周囲環境や広さ等によっても異なるが、通常の場合、５〜１００ｃｍ、特に５〜６０ｃｍ程度とするのが好ましい。
【００１８】
なお、図１，２は本発明の視覚障害者誘導用ブロックを敷設した歩行路の実施の形態の一例を示すものであって、本発明は、その要旨を超えない限り、何ら、図示のものに限定されるものではない。例えば、図１，２では、視覚障害者誘導用ブロックを明色系として、縁取り領域を黒色系としているが、逆に視覚障害者誘導用ブロックを暗色系として縁取り領域を明色系としても良い。なお、この場合には一般領域が暗色系となる。また、縁取り領域の構成にも特に制限はなく、図１に示す如くタイルを敷設したり、図２に示す如くアスファルトを敷く他、耐食性塗料を塗ったり、必要に応じて顔料等で着色を付与したコンクリートやモルタルを打設しても良い。また、縁取り領域は、必ずしも誘導領域の両側に設ける必要はなく、一側のみでも良い。
【００１９】
本発明の視覚障害者誘導用ブロックを敷設した歩行路は、一般歩道、公園や各種施設の遊歩道や階段、スロープのような屋外の歩行路のみならず、建物内の床面や階段等、幅広い歩行路に有効に適用することができる。
【００２０】
【発明の効果】
以上詳述した通り、本発明によれば、周囲環境との調和、全体の景観を損なうことなく、視覚障害者誘導用ブロック敷設領域を際立たせてその視認性を高め、視覚障害者の歩行安全性に優れた歩行路が提供される。
【図面の簡単な説明】
【図１】本発明の視覚障害者誘導用ブロックを敷設した歩行路の実施の形態を示す平面図である。
【図２】本発明の視覚障害者誘導用ブロックを敷設した歩行路の他の実施の形態を示す平面図である。
【図３】従来の視覚障害者誘導用ブロックを敷設した歩行路を示す平面図である。
【符号の説明】
１  視覚障害者誘導用ブロック
２，２Ａ，２Ｂ  一般ブロック
３  誘導領域
４  縁取り領域
５  暗色系ブロック
６  一般領域
７  アスファルト敷設面
【図１】
0004110685.tif 000002
【図２】
0004110685.tif 000003
【図３】
0004110685.tif 000004